(57)【要約】【課題】設置を容易に行うことができる太陽電池装置を提供する。【解決手段】貯水可能な箱体１３の上部に太陽電池パネル１４を配置する。太陽電池パネル１４の裏面には、保水部材１５を設ける。保水部材１５には、箱体１３内に貯留された水を吸い上げるための吸水部材２２を接続する。箱体１３には、その内部に雨水を取り入れるための隙間２０を設ける。【選択図】図４
2010153664.tif 000002
【特許請求の範囲】
【請求項１】
貯水可能な箱体の上部に太陽電池パネルを配置するとともに、その太陽電池パネルの裏面には保水部材を設け、その保水部材には箱体内に貯留された水を吸い上げるための吸水部材を接続したことを特徴とする太陽電池装置。
【請求項２】
前記箱体の上部を開口するとともに、その開口部にブラケットを設け、そのブラケット上に前記保水部材及び太陽電池パネルを載置したことを特徴とする請求項１に記載の太陽電池装置。
【請求項３】
前記箱体の上部に取水部を設けたことを特徴とする請求項１または２に記載の太陽電池装置。
【発明の詳細な説明】
【技術分野】
【０００１】
この発明は、建物の屋上等に設置される太陽電池装置に関するものである。
【背景技術】
【０００２】
従来、この種の太陽電池装置としては、例えば特許文献１に開示されるような構成が提案されている。この特許文献１に開示された従来技術は、４本の脚部上に太陽電池パネルを設けたものである。このような太陽電池装置は、実際にはビルの屋上の陸屋根等に鉄骨架台を組むことより設置される。そして、このような太陽電池装置は、太陽電池パネルと設置面との間に間隔が形成されるため、風により浮き上がったり、飛んでしまったりするおそれがある。このため、太陽電池パネルを鉄骨架台に強固に固定したり、鉄骨架台を陸屋根を形成する押さえコンクリート上にコンクリートブロックを用いて強固に固定したりする必要がある。従って、このように鉄骨架台を用いて太陽電池パネルを設置する場合は、その設置工事に手間がかかるものであった。しかも、太陽電池装置を設置した位置は、鉄骨架台の支柱が林立してしまうため、発電以外の目的には使用できないものであった。加えて、鉄骨架台が陸屋根等に強固に固定されるため、太陽電池装置の増減やレイアウト変更を容易に行うことができず、設置上の各種の要求に柔軟に対応することが困難であった。
【０００３】
特許文献２に記載の従来の太陽電池装置は、上面において太陽電池モジュールを支持した扁平なホルダが屋上の陸屋根等に設置される。そして、ホルダに形成された冷媒通路内に冷媒を流すことにより、太陽電池モジュールが冷却される。この特許文献２に記載の太陽電池装置においては、前記ホルダが陸屋根上等に直接設置されるため、特許文献１の太陽電池装置とは異なり、鉄骨架台を用いる施工上の問題や、風を原因とする問題は生じないが、前記冷媒は熱交換器を介して循環されるようになっているため、以下の問題が生じる。すなわち、太陽電池装置を用いる目的は、エネルギー節約であるが、このように、冷媒を循環させたり、熱交換器を動作させたりすることは、そのための動力が必要で、本来のエネルギー節約の目的に反することになる。
【０００４】
特許文献３に記載の従来の太陽電池装置は、建物の傾斜屋根上に太陽電池モジュール本体が架台及び支持金具を介して、傾斜した状態で、かつ屋根の瓦から浮き上がった状態で設置されるものである。太陽電池モジュール本体の裏面には、合成繊維製の蒸発式冷却シートが取り付けられている。また、太陽電池モジュール本体の下端縁には、雨水を冷却水として貯留する貯水部が設けられている。貯水部の内部には、冷却シートの下端部が挿入され、貯水部内の冷却水に浸漬されている。そして、貯水部内の冷却水が毛細管現象により冷却シートに浸み込み、太陽熱で昇温された太陽電池モジュール本体から気化熱として熱を奪いながら蒸発する。この蒸発により、太陽電池モジュール本体が冷却されて、発電効率の低下が抑制されるとしている。
【特許文献１】特開２００５−２１７１７９号公報
【特許文献２】特開２０００−１１４５７４号公報
【特許文献３】特開２０００−２２１９３号公報
【発明の開示】
【発明が解決しようとする課題】
【０００５】
従って、前記特許文献３の太陽電池装置においては、特許文献２とは異なり、動力を必要とする問題を回避できるが、架台を用いて瓦から浮き上がった状態に設置されるため、特許文献１と同様に、風を原因とする問題等を回避できない。そして、支持金具は瓦の裏面側に差し込まれて屋根に固定されるものであるため、設置のための施工に手間がかかるばかりでなく、瓦や屋根が傷むおそれがある。しかも、特許文献３の太陽電池装置においては、それが傾斜状態にあるため、貯水部の水の重さ等により、傾斜屋根に対する荷重負担が大きくなる。このため、貯水タンクの容量を大きくすることができず、降雨量の少ない時期には、貯水タンクが空になり、太陽電池モジュールの冷却を行い得ないおそれが多分にある。
【０００６】
また、貯水部が太陽電池パネルの平面の延長線上に位置しているため、この太陽電池装置は、屋根の傾斜を利用してその貯水部が下端に位置する状態でしか設置できない。つまり、この特許文献３の太陽電池装置を水平状態に設置すると、前記冷却シート等と貯水部との間の部分から貯水が漏洩するばかりでなく、傾斜を利用して雨水を貯水として確保するものであるため、陸屋根上等において水平に設置することは不可能であった。
【０００７】
この発明は、このような従来の技術に存在する問題点に着目してなされたものである。その目的は、陸屋根等の水平面に設置することができ、設置構造が簡単であるとともに、設置作業やレイアウト変更等を容易に行うことができる太陽電池装置を提供することにある。
【課題を解決するための手段】
【０００８】
上記の目的を達成するために、この発明は、貯水可能な箱体の上部に太陽電池パネルを配置するとともに、その太陽電池パネルの裏面には保水部材を設け、その保水部材には箱体内に貯留された水を吸い上げるための吸水部材を接続したことを特徴としている。
【０００９】
従って、この発明の太陽電池装置の設置時には、架台や支持金具を使用することなく、太陽電池装置を建物の屋上等に水平状態で設置することができる。よって、設置構造が簡単であるとともに、設置のための施工を容易に行うことができる。そして、太陽電池装置の使用時には、箱体の内底部に貯留した水が毛細管現象により吸水部材を介して保水部材に浸み込み、太陽熱で昇温された太陽電池パネルから気化熱として熱を奪いながら蒸発する。よって、太陽電池パネルを有効に冷却することができて、温度上昇に伴う発電効率の低下を抑制することができる。
【００１０】
また、前記の構成において、前記箱体の上部を開口するとともに、その開口部にブラケットを設け、そのブラケット上に前記保水部材及び太陽電池パネルを載置するとよい。
さらに、前記の構成において前記箱体の上部に取水部を設けるとよい。このように構成した場合には、取水部から箱体内に雨水や水道水等の水を取り入れて貯留することができて、その雨水等を太陽電池パネルの冷却用水として用いることができる。
【発明の効果】
【００１１】
以上のように、この発明によれば、陸屋根等の水平面に設置することができ、設置構造が簡単であるとともに、設置作業やレイアウト変更等を容易に行うことができるという効果を発揮する。
【発明を実施するための最良の形態】
【００１２】
（第１実施形態）
以下に、この発明の第１実施形態を、図１〜図４に基づいて説明する。
図1及び図４に示すように、建造物の屋上等の床面（陸屋根等）１１上には、複数の太陽電池装置１２が水平な前後方向及び左右方向に並べて設置されている。図２〜図４に示すように、各太陽電池装置１２は、貯水可能で、上面を開放した有底無蓋の合成樹脂よりなる箱体１３を備え、その箱体１３の前記開放部に複数の太陽電池パネル１４を配置することによって構成されている。太陽電池パネル１４は、強化ガラス等の光透過性を有する材料よりなる保持プレート１４ａと、その保持プレート１４ａの裏面に透明な裏面材１４ｂを介して接合された複数の太陽電池セル１４ｃとから構成されている。太陽電池パネル１４の裏面には、合成繊維製の不織布等よりなるシート状の保水部材１５が配置されている。
【００１３】
図２〜図４に示すように、前記箱体１３の開口部内周縁のコーナ部及び四辺部には、複数のブラケット１６，１７が突設されている。コーナ部のブラケット１６は、間隔保持部１６ａと、その間隔保持部１６ａの下端部間に設けられた水平な支持部１６ｂとを備えている。中間部のブラケット１７は、平面Ｔ形状をなす間隔保持部１７ａと、その間隔保持部１７ａの下端部間に設けられた水平な支持部１７ｂとを備えている。箱体１３の底壁中央部の内面には支柱１８が立設され、その支柱１８の上端部には前記ブラケット１６，１７に対応するブラケット１９が設けられている。このブラケット１９は、平面形ほぼ十字状の間隔保持部１９ａと、その間隔保持部１９ａの下端部間に設けられた水平な支持部１９ｂとを備えている。
【００１４】
そして、前記ブラケット１６，１７，１９の支持部１６ｂ，１７ｂ，１９ｂ上に複数の保水部材１５及び太陽電池パネル１４が着脱可能に載置されている。この状態で、ブラケット１６，１７の間隔保持部１６ａ，１７ａにより、箱体１３の開口部内周縁と各保水部材１５及び各太陽電池パネル１４の外側縁との間に、雨水や水道水等の水の取り入れ用の取水部としての隙間２０が形成されている。それとともに、ブラケット１７，１９の間隔保持部１７ａ，１９ａにより、隣接する各保水部材１５及び各太陽電池パネル１４の相互間に、雨水等の水の取り入れ用の取水部としての隙間２１が形成されている。
【００１５】
図１〜図４に示すように、前記各太陽電池パネル１４に対応して、箱体１３内にはセラミック等の多孔質の剛体よりなる複数の円筒状の吸水部材２２が立設され、それらの吸水部材２２の上端部が各太陽電池パネル１４の裏面の保水部材１５に接合されている。そして、箱体１３の内底部に貯留された水が毛細管現象により吸水部材２２を介して保水部材１５に浸み込み、太陽電池パネル１４から気化熱として熱を奪いながら蒸発される。これによって、太陽電池パネル１４が冷却されて、同太陽電池パネル１４の昇温が抑制されるようになっている。なお、前記吸水部材２２は、前記保水部材１５及び太陽電池パネル１４を裏面側から支持する機能も有する。
【００１６】
前記箱体１３の隣接する２つの側壁の外面上端部にはスペーサ２３が突設され、それらのスペーサ２３の外面には凹状連結部２４が形成されている。箱体１３の隣接する残りの２つの側壁の外面上端部には、前記凹状連結部２４に嵌め合い可能な凸状連結部２５が形成されている。そして、図１に示すように、建物の屋上等の床面１１に複数の太陽電池装置１２を並設する場合、隣接する太陽電池装置１２の箱体１３間において、凸状連結部２５を凹状連結部２４に嵌め合わせることにより、隣接する箱体１３が互いに位置決め状態で連結される。この場合、隣接する箱体１３の側壁間にスペーサ２３が介在されて、その箱体１３の側壁間に通気用の間隙２６が形成される。
【００１７】
前記箱体１３の各側壁の上下中間部には、通気ネットを張設した通気窓２７が形成されている。そして、隣接する箱体１３の側壁間の通気用間隙２６から、この通気窓２７を通して箱体１３の内外間を空気が流れる。この空気の流れにより、箱体１３内の温度上昇が抑制されるとともに、保水部材１５からの水の蒸発が促進される。また、前記取水部としての隙間２０，２１から箱体１３内に所定量以上の雨水が流入したとき、余分な水が通気窓２７からオーバフローされることにより、箱体１３内の貯水量が一定量以下の適量に維持される。
【００１８】
次に、前記のように構成された太陽電池装置の作用を説明する。
さて、建物の屋上等の床面１１に複数の太陽電池装置１２を設置する場合には、図１に示すように、各太陽電池装置１２の箱体１３を水平状態に並設して、隣接する箱体１３間において凸状連結部２５を凹状連結部２４に嵌め合わせると、その箱体１３が通気用の間隙２６をおいた状態で相互に連結される。この状態では、太陽電池装置１２は縦横に規則正しく整列される。従って、架台や支持金具を必要とすることなく、複数の太陽電池装置１２を屋上等の床面１１上に容易かつ短時間に設置することができる。
【００１９】
そして、太陽電池装置１２の設置状態において、太陽電池セル１４ｃは太陽光を受けて発電する。
ここで、太陽電池パネル１４の周側部に隙間２０，２１が設けられているため、太陽電池パネル１４の保持プレート１４ａ上に降った雨水や太陽電池パネル１４の表面を洗い流した水道水等が隙間２０，２１を通して、箱体１３内に流れ込んで貯留される。そして、箱体１３の内底部に貯留した水は毛細管現象により吸水部材２２を介して揚水されて、太陽電池パネル１４の裏面の保水部材１５に浸み込み、太陽電池パネル１４から気化熱として熱を奪いながら蒸発する。従って、太陽電池パネル１４の温度上昇が抑制される。この場合、隣接する箱体１３間に空気流通用の間隙２６が設けられるとともに、箱体１３の側壁に通気窓２７が形成されているため、通気用間隙２６から通気窓２７を通して箱体１３の内外を空気が流れて、箱体１３の内部の過度な温度上昇が抑制されるとともに、保水部材１５からの水の蒸発が促進される。よって、太陽電池パネル１４を有効に冷却することができて、温度上昇に伴う発電効率の低下を抑制することができる。
【００２０】
よって、この実施形態においては、以下の効果がある。
（１）  太陽電池装置１２を床面１１に設置するのみでよく、鉄骨架台や取付金具等を必要としない。このため、太陽電池装置１２を所要の位置に対して容易かつ短時間に設置することができる。しかも、この設置状態においては、連結部２４，２５の嵌め合わせにより、太陽電池装置１２を整然と整列配置させることができる。
【００２１】
（２）  前記のように、太陽電池装置１２を床面１１に設置するのみでよいため、太陽電池装置１２の増減やレイアウト変更を自在に行うことができる。
（３）  太陽電池装置１２は床面１１上に直接載置され、太陽電池パネル１４はその上部開口内に設置されるものであるため、太陽電池パネル１４の風による浮き上がりを防止することが可能になる。
【００２２】
（４）  雨水により太陽電池パネル１４を冷却できるため、冷媒供給のためにポンプを動作させるような稼働コストをかけることなく、太陽電池パネル１４の温度上昇を抑制できる。従って、太陽電池パネル１４の温度上昇による発電効率の低下をコストをかけることなく防止できる。
【００２３】
（５）  太陽電池パネル１４の面積より広い平面面積の箱体１３の全域を貯水部として、その貯水部に雨水を貯留できるため、充分な貯水量を得ることができる。従って、降雨がない状態あるいは降雨量が少ない状態が長く続いても、太陽電池パネル１４を冷却することができる。仮に、箱体１３内の雨水等が払底したり、払底しそうな場合は、隙間２０，２１から箱体１３内に水道水等の水を補給できるため、冷却用の水が無くなる事態を回避できる。
【００２４】
（６）  建物の屋上に多数の太陽電池装置１２を隣接状態で設置できるため、その屋上の床面１１の昇温を抑制できる。このため、建物の冷房負荷を低減できて、太陽光発電によるエネルギー節約に加えて冷房装置のエネルギー節約を図ることができる。
【００２５】
（７）  大雨や長雨により、箱体１３内に大量の雨水が導入されても、余分な雨水は通気窓２７から流出される。このため、箱体１３内の異常高水位を防止でき、太陽電池パネル１４が貯水内に没することを防止できる。このため、太陽電池パネル１４の電気トラブルの発生を防止できる。
【００２６】
（８）  太陽電池パネル１４の表面部に溜まった泥やゴミは雨水により洗い流されて、隙間２０，２１から箱体１３内に落とし込まれる。従って、太陽電池パネル１４の表面の汚れを防止でき、汚れによる発電効率の低下を防止できる。なお、箱体１３内に溜まった泥やゴミは、太陽電池パネル１４を箱体１３から取り外すことにより、容易に除去できる。
【００２７】
（第２実施形態）
次に、この発明の第２実施形態を、図５に基づいて前記第１実施形態と異なる部分を中心に説明する。
【００２８】
この第２実施形態においては、吸水部材２２が不織布等の帯状体から構成され、一端を保水部材１５の下面に接合固定した状態で、箱体１３内に垂下されている。そして、箱体１３内に貯留した水が毛細管現象により、この吸水部材２２を介して保水部材１５に浸み込むようになっている。
【００２９】
従って、この第２実施形態においても、前記第１実施形態に記載の効果と同様な効果を得ることができる。
特に、この第２実施形態においては、以下の効果がある。
【００３０】
（９）  吸水部材２２として安価な不織布等を用いているため、設備コストを低減できる。
（第３実施形態）
次に、この発明の第３実施形態を、図６〜図８に基づいて前記第１実施形態と異なる部分を中心に説明する。
【００３１】
この第３実施形態においては、設置状態にある複数の太陽電池装置１２のうちで、任意の太陽電池装置１２の箱体１３内に、内部の貯水量を検出するための検出手段としての水位計３１が配置されている。太陽電池装置１２の設置部の近傍には給水管３２が設けられ、この給水管３２は電磁バルブよりなる給水バルブ３３を介して水道または給水タンク等の図示しない給水源に接続されている。各太陽電池装置１２を通って延びるように、給水管３２には配水管３４が接続され、それらの配水管３４の管壁には多数の小孔３４ａが形成されている。前記給水管３２や配水管３４により補給手段が構成されている。そして、水位計３１により検出された貯水量が所定値よりも低下したとき、給水バルブ３３が自動的に開放されて、配水管３４の小孔３４ａから各太陽電池装置１２の箱体１３上に水が供給される。このため、太陽電池パネル１４の周側部の隙間２０，２１を通して、箱体１３内に水が補給されて、水位が回復される。そして、箱体１３内の水位が所定値に達したら、水位計３１によりそれが検出されて給水バルブ３３が閉鎖される。
【００３２】
さらに、この実施形態においては、設置された複数の箱体１３のうちで、任意の箱体１３に、太陽電池パネル１４に代えて植栽３５が設けられている。この植栽３５は、保水部材１５上に設置された枠体３６内に土壌３７が敷き詰められて、その土壌３７に植物３８が植えられたものである。そして、前記枠体３６の底部には多数の小孔３６ａが透設されている。保水部材１５は、前記小孔３６ａからの土壌の流出を防止するための機能も有している。
【００３３】
従って、この第３実施形態においては、箱体１３内の貯水が保水部材１５を介して小孔３６ａから土壌３７に供給され、植物３８の生育に供される。
従って、この第３実施形態においても、前記第１実施形態に記載の効果と同様な効果を得ることができるだけではなく、以下の効果を得ることができる。
【００３４】
（１０）  降雨量が少ない時期等において給水管３２及び配水管３４を介して箱体１３内に水を補給することができるため、貯留された雨水が払底しても、太陽電池パネル１４の温度上昇を抑制して、発電効率が低下するおそれを防止することができる。
【００３５】
（１１）  箱体１３に植栽３５が設けられているため、屋上緑化を推進することができる。この場合、前記のように給水管３２及び配水管３４からの給水により箱体１３内に水を絶やさないようにできるため、植栽３５に常時給水することができる。従って、この植栽３５により、建物の屋上緑化を図ることができる。
【００３６】
（第４実施形態）
次に、この発明の第４実施形態を、図９に基づいて前記第１実施形態と異なる部分を中心に説明する。
【００３７】
さて、この第４実施形態においては、太陽電池パネル１４傾斜するように配置されている。従って、箱体１３が建物の屋上等の床面１１に設置されるとき、太陽電池パネル１４を南向きに配置できる。
【００３８】
従って、この第４実施形態においては、前記第１実施形態に記載の効果に加えて以下の効果を得ることができる。
（１２）  太陽電池パネル１４を南向きにできるため、太陽電池パネル１４の発電効率を高めることができる。
【００３９】
（変更例）
なお、この実施形態は、次のように変更して具体化することも可能である。
・  箱体１３の底部に水抜き部を設けること。このようにすれば、太陽電池パネル１４を取り外すことにより、箱体１３の内部の水洗い等にともなう排水を簡単に行うことができる。
【００４０】
・  多孔質の吸水部材２２に替えて、通常の合成樹脂等の剛体よりなる筒状体を設け、その筒状体の内周面あるいは外周面、または内外の両方の周面に吸水シートを巻き付けて、その吸水シートにより揚水を行うようにすること。
【００４１】
・  前記第３実施形態において、給水バルブ３３の開閉を手動により行うように構成すること。
・  第３実施形態において、図８に２点鎖線で示すように、植栽３５の上方に植栽３５に対する灌水用の給水孔３９ａを有する配管３９を設けること。
【００４２】
・  前記各実施形態とは異なり、箱体１３内に水道水のみが貯留されるようにすること。このように、構成された場合は、箱体１３の上部は閉鎖されて、雨水導入用の隙間２０，２１は設けられず、第３実施形態のような給水管３２，配水管３４等の給水設備から給水される。
【００４３】
・  一部の太陽電池パネル１４に替えて、上面を歩行可能なグレーチングパネル等のパネルを設けること。このようにすれば、太陽電池装置１２の設置エリアに歩道を設けることができる。
【００４４】
・  第１実施形態の構成と第２実施形態の構成とを組み合わせること。すなわち、多孔質の剛体よりなる筒状の給水部材を設けた構成において、不織布等よりなるシート状の給水部材を設けること。
【００４５】
・  この発明の太陽電池装置１２を建物の屋上以外のところ、例えば、広場の敷地上等に設置すること。
（別の技術的思想）
さらに、上記実施形態により把握される請求項以外の技術的思想について記載する。
【００４６】
（Ａ）太陽電池パネルを箱体に対して着脱可能にしたことを特徴とする請求項１〜３のうちのいずれか一項に記載の太陽電池装置。
このようにすれば、箱体の内部の水洗等を簡単に行うことができる。
【００４７】
（Ｂ）  前記箱体には排水栓を設けたことを特徴とする請求項１〜３，前記他の技術的思想（Ａ）項のうちのいずれか一項に記載の太陽電池装置。
このようにすれば、箱体の内部の水洗等にともなう排水を簡単に行うことができる。
【００４８】
（Ｃ）  前記箱体の開口部に複数の保水部材及び太陽電池パネルを、相互間に所定の隙間を設けて並設し、その隙間を取水口としたことを特徴とする請求項１〜３，前記他の技術的思想（Ａ），（Ｂ）項のうちのいずれか一項に記載の太陽電池装置。
【００４９】
（Ｄ）  前記箱体には、内部の貯水量を検出するための検出手段と、その検出手段により検出された貯水量が所定値よりも低下したときに、箱体内に水を補給するための補給手段とを設けたことを特徴とする請求項１〜３、前記他の技術的思想（Ａ）〜（Ｃ）項のうちのいずれか一項に記載の太陽電池装置。
【００５０】
この構成によれば、渇水期等において、箱体内の貯水払底したとき、箱体内に水道等から水を補給することができる。
（Ｅ）  前記吸水部材を多孔質の剛体により構成したことを特徴とする請求項１〜３、前記他の技術的思想（Ａ）〜（Ｄ）項のうちのいずれか一項に記載の太陽電池装置。
【００５１】
この構成によれば、多孔質剛体よりなる吸水部材を介して、保水部材及び太陽電池パネルを箱体の開口部付近に支持することができるとともに、その吸水部材を介して箱体内の水を保水部材に吸い上げることができる。
【００５２】
（Ｆ）  前記箱体には、隣接する他の箱体と連結するための連結部を設けたことを特徴とする請求項１〜３、他の技術的思想（Ａ）〜（Ｅ）項のうちのいずれか一項に記載の太陽電池装置。
【００５３】
この構成によれば、建物の屋上等に複数の太陽電池装置を並設する場合、連結部を介して箱体を隣接する他の箱体と所定の位置関係で連結することができて、太陽電池装置を整然と配置できる。
【００５４】
（Ｇ）  前記箱体の上部に植栽を設けたことを特徴とする請求項１〜３、他の技術的思想（Ａ）〜（Ｆ）項のうちのいずれか一項に記載の太陽電池装置。
この構成によれば、建物の屋上緑化を推進することができる。
【図面の簡単な説明】
【００５５】
【図１】第１実施形態の太陽電池装置の設置状態を示す平面図。
【図２】１つの太陽電池装置を拡大して示す一部破断平面図。
【図３】図２の太陽電池装置を分解して示す斜視図。
【図４】図２の３−３線における拡大断面図。
【図５】第２実施形態の太陽電池装置を示す断面図。
【図６】第３実施形態の太陽電池装置の設置状態を示す要部平面図。
【図７】図６の太陽電池装置の設置状態を示す断面図。
【図８】図７の給水管の部分を拡大して示す断面図。
【図９】第４実施形態の太陽電池装置を示す断面図。
【符号の説明】
【００５６】
１１…屋上等の床面、１２…太陽電池装置、１３…箱体、１４…太陽電池パネル、１５…保水部材、１６，１７，１９…ブラケット、１６ａ，１７ａ，１９ａ…間隔保持部、１６ｂ，１７ｂ，１９ｂ…支持部、２０，２１…取水部としての隙間、２２…吸水部材、２４…凹状連結部、２５…凸状連結部、２７…通気窓、３１…検出手段としての水位計、３３…給水バルブ、３４…補給手段としての配水管、３５…植栽。
【図１】
2010153664.tif 000003
【図２】
2010153664.tif 000004
【図３】
2010153664.tif 000005
【図４】
2010153664.tif 000006
【図５】
2010153664.tif 000007
【図６】
2010153664.tif 000008
【図７】
2010153664.tif 000009
【図８】
2010153664.tif 000010
【図９】
2010153664.tif 000011